(57)【特許請求の範囲】
【請求項１】
管状のボイスコイルボビンと、
内周面が前記ボイスコイルボビンの外周面より外側となるように前記ボイスコイルボビンに配置された第１ボイスコイルと、
内周面が前記ボイスコイルボビンの外周面より外側となるように、前記第１ボイスコイルから距離をおいて前記ボイスコイルボビンに配置された第２ボイスコイルと、
磁石と、
前記ボイスコイルボビンと第１ボイスコイルを内周側と外周側とで挟み、前記磁石からの磁力線が前記ボイスコイルボビンと前記第１ボイスコイルを第１方向に貫くようにする第１磁路形成部と、
前記ボイスコイルボビンと第２ボイスコイルを内周側と外周側とで挟み、前記磁石からの磁力線が前記ボイスコイルボビンと前記第２ボイスコイルを前記第１方向と反対方向に貫くようにする第２磁路形成部と、
入力されるオーディオ信号の正負に応じて、前記オーディオ信号を前記第１ボイスコイルまたは前記第２ボイスコイルのどちらか一方に供給する信号供給部と
を有し、
前記第１ボイスコイルの一部分が前記第１磁路形成部において挟まれ、残りの部分が前記第１ボイスコイルにオーディオ信号が供給された時に前記ボイスコイルボビンが移動する方向と反対方向へ前記第１磁路形成部からはみ出し、且つ、前記第２ボイスコイルの一部分が前記第２磁路形成部において挟まれ、残りの部分が前記第２ボイスコイルにオーディオ信号が供給された時に前記ボイスコイルボビンが移動する方向と反対方向へ前記第２磁路形成部からはみ出していること
を特徴とするスピーカユニット。
【請求項２】
請求項１に記載のスピーカユニットと、
オーディオ信号を増幅して前記信号供給部へ出力する増幅部と
を有するスピーカ装置。
【発明の詳細な説明】
【技術分野】
【０００１】
本発明は、スピーカに関する。
【背景技術】
【０００２】
ムービングコイル型のスピーカとして、例えば特許文献１に開示されているように２つのボイスコイルを備えたスピーカがある。このスピーカでは、各ボイスコイルにバイアス電流が加えられており、オーディオ信号が供給されていない状態においては、一方のボイスコイルに発生するローレンツ力の方向と、他方のボイスコイルに発生するローレンツ力の方向が反対方向となり、且つ、両方の力の大きさが同じとなる。そして、ボイスコイルにオーディオ信号を供給する際には、一方のボイスコイルにはオーディオ信号がそのまま供給され、他方のボイスコイルにはオーディオ信号の波形を反転させた信号が供給される。すると、各ボイスコイルに発生するローレンツ力が変化し、オーディオ信号に応じてボイスコイルが移動し、この移動に伴ってボイスコイルボビンとコーン紙が振動して音が放射される。
【０００３】
【特許文献１】特開２００１−１８６５８９号公報
【発明の開示】
【発明が解決しようとする課題】
【０００４】
ところで、特許文献１に開示されたスピーカでは、オーディオ信号が入力されない状態においても、ボイスコイルに電流を流すので電力を消費する。特許文献１に開示されたスピーカでは、各ボイスコイルにおいてローレンツ力が働くのは磁場中にある部分である。各ボイスコイルにおいて磁場外にある部分は、電流が流れていても単なる抵抗となり、ローレンツ力が働かないため、熱が発生して損失が生じていた。
【０００５】
本発明は、上述した背景の下になされたものであり、駆動時の損失を少なくしたスピーカを提供することを目的とする。
【課題を解決するための手段】
【０００６】
上述した課題を解決するために本発明は、管状のボイスコイルボビンと、内周面が前記ボイスコイルボビンの外周面より外側となるように前記ボイスコイルボビンに配置された第１ボイスコイルと、内周面が前記ボイスコイルボビンの外周面より外側となるように、前記第１ボイスコイルから距離をおいて前記ボイスコイルボビンに配置された第２ボイスコイルと、磁石と、前記ボイスコイルボビンと第１ボイスコイルを内周側と外周側とで挟み、前記磁石からの磁力線が前記ボイスコイルボビンと前記第１ボイスコイルを第１方向に貫くようにする第１磁路形成部と、前記ボイスコイルボビンと第２ボイスコイルを内周側と外周側とで挟み、前記磁石からの磁力線が前記ボイスコイルボビンと前記第２ボイスコイルを前記第１方向と反対方向に貫くようにする第２磁路形成部と、入力されるオーディオ信号の正負に応じて、前記オーディオ信号を前記第１ボイスコイルまたは前記第２ボイスコイルのどちらか一方に供給する信号供給部とを有し、前記第１ボイスコイルの一部分が前記第１磁路形成部において挟まれ、残りの部分が前記第１ボイスコイルにオーディオ信号が供給された時に前記ボイスコイルボビンが移動する方向と反対方向へ前記第１磁路形成部からはみ出し、且つ、前記第２ボイスコイルの一部分が前記第２磁路形成部において挟まれ、残りの部分が前記第２ボイスコイルにオーディオ信号が供給された時に前記ボイスコイルボビンが移動する方向と反対方向へ前記第２磁路形成部からはみ出していることを特徴とするスピーカユニットを提供する。
【０００８】
また、本発明は、上記スピーカユニットと、オーディオ信号を増幅して前記信号供給部へ出力する増幅部とを有するスピーカ装置を提供する。
【発明の効果】
【０００９】
本発明によれば、スピーカにおいて駆動時の損失を少なくすることができる。
【発明を実施するための最良の形態】
【００１０】
（機械的構成）
図１は、本発明の一実施形態に係るスピーカユニット１の断面図である。図１に示したように、スピーカユニット１は、第１フレーム１０、第２フレーム１１、第３フレーム１２を有している。また、スピーカユニット１は、磁石２０、第１プレート３０、第２プレート３１、ボイスコイルボビン４０、第１ボイスコイル５０、第２ボイスコイル５１、コーン紙６０、エッジ７０を有している。
スピーカユニット１は、大別すると、第１フレーム１０、第２フレーム１１および第３フレーム１２とからなるフレーム部２、フレーム部２より内側にあり、第１プレート３０、磁石２０および第２プレート３１とからなるコア部３、ボイスコイルボビン４０、第１ボイスコイル５０および第２ボイスコイル５１とからなるボイスコイルユニット部４、コーン紙６０とエッジ７０とからなる振動部５に分けられる。
【００１１】
第１フレーム１０は、非磁性の素材で形成されており、円管の一方の端部を閉じた形状をしており、中空部に円柱形状の軸部１０Ａを有している。軸部１０Ａは、第１フレーム１０の閉端部から開口端側へ突出するように設けられており、閉端部の中心軸と軸部１０Ａの中心軸とが一致している。
第２フレーム１１は、磁性を有する素材で形成されており、その形状は円管形状となっている。なお、本実施形態においては、第１フレーム１０の内径と第２フレーム１１の内径は同じであり、第１フレーム１０の外径と第２フレーム１１の外径も同じとなっている。
第３フレーム１２は、非磁性の素材で形成されており、内部が中空の円錐台の上面側と下面側とを開口させた形状となっている。
【００１２】
磁石２０は、永久磁石であり、円柱形状に形成されている。なお、磁石２０の直径は、第２フレームの内径より小さくなっている。
第１プレート３０および第２プレート３１は、常磁性体であり、円柱形状に形成されている。なお、本実施形態においては、第１プレート３０と第２プレート３１の直径は同じであり、第１プレート３０および第２プレート３１の直径は、磁石２０の直径より大きくなっている。また、本実施形態においては、第１プレート３０と第２プレート３１の中心軸方向の幅は、いずれも同じ幅となっている。
【００１３】
ボイスコイルボビン４０は、耐熱性と剛性を有する素材（例えば、ポリイミド系の合成素材やポリアミド系の合成素材、不燃布に耐熱性ボンドを含浸させた素材、グラスファイバーを基材とし熱硬化性樹脂を含浸させた素材など）で円管形状に形成されている。
センタキャップ４１は、パルプを主原料とした素材で形成されて形状はドーム形状となっており、ボイスコイルボビン４０の開口端の一方を塞ぐようにボイスコイルボビン４０に固着されている。
第１ボイスコイル５０および第２ボイスコイル５１は、導線をボイスコイルボビン４０に螺旋状に巻いたものである。本実施形態においては、第１ボイスコイル５０の中心軸方向の巻幅と、第２ボイスコイル５１の中心軸方向の巻幅とは同じ幅となっており、各幅は、第１プレート３０（第２プレート３１）の幅より広くなっている。
【００１４】
コーン紙６０は、パルプを主原料とした素材で形成されており、内部が中空の円錐台の上面側と下面側とを開口させた形状となっている。
エッジ７０は、ウレタンフォームを円環状に形成したものであり、その断面は、図１に示したように円弧部を有している。
【００１５】
まず、フレーム部２について見ると、第２フレーム１１の一方の開口端が第１フレーム１０の開口端に固着されており、第２フレーム１１のもう一方の開口部には、第３フレーム１２において径が小となっている側の開口部が固着されている。なお、スピーカユニット１においては、各フレームの中心軸は一致している。
次に、コア部３について見ると、軸部１０Ａの端面に第１プレート３０が固着され、第１プレート３０において軸部１０Ａ側と反対側の端面に磁石２０が固着されている。また、磁石２０において第１プレート３０側と反対側の端面に第２プレート３１が固着されている。なお、スピーカユニット１においては、軸部１０Ａ、第１プレート３０、磁石２０および第２プレート３１の各中心軸は一致し、各部の中心軸は各フレームの中心軸とも一致している。
【００１６】
軸部１０Ａ、第１プレート３０、磁石２０および第２プレート３１の各直径は、第１フレーム１０および第２フレーム１１の内径より小さいため、コア部３とフレーム部２との間には、第２フレーム１１の内周面の周方向に沿って隙間が形成されている。そして、磁石２０は、常磁性体である第１プレート３０と第２プレート３１とで挟まれており、第１プレート３０および第２プレート３１より外側には、磁性を有する第２フレーム１１があるため、磁石２０からの磁力線は、第１プレート３０と第２フレーム１１との間にある隙間と、第２プレート３１と第２フレーム１１との間にある隙間を通る。
なお、本実施形態において磁力線の方向は、第１プレート３０と第２フレーム１１との間においては第２フレーム１１から第１プレート３０側へ向かう方向であり、第２プレート３１と第２フレーム１１との間においてはから第２プレート３１から第２フレーム１１側へ向かう方向である。
【００１７】
次に、振動部５について見ると、第３フレーム１２において径が大となっている側の開口端には、エッジ７０が固着されている。そして、エッジ７０の内周側には、コーン紙６０において径が大となっている側の開口部に固着されている。このようにコーン紙６０がエッジ７０に固着されることにより、コーン紙６０はエッジ７０に支持されている。
【００１８】
また、ボイスコイルユニット部４においては、ボイスコイルボビン４０の一方の端部が
コーン紙６０において径が小となっている側の開口部に固着されている。コーン紙６０は、エッジ７０により支持されているため、コーン紙６０に固着されているボイスコイルユニット部４は、フレーム部２とコア部３とのいずれにも接触せず、フレーム部２とコア部３との間の隙間に位置する。
なお、各ボイスコイルに電流が流れていない状態においては、図１に示したように、第１ボイスコイル５０は、第１プレート３０と第２フレーム１１との間に位置し、中心軸方向における第１プレート３０と磁石２０との境界位置と、中心軸方向における第１ボイスコイル５０の一方の端部（第３フレーム１２側の端部）の位置が一致し、第１ボイスコイル５０のもう一方の端部は、第１プレート３０の外周面から第２フレーム１１までの間の領域からはみ出している。また、第２ボイスコイル５１は、第２プレート３１と第２フレーム１１との間に位置し、中心軸方向における第２プレート３１と磁石２０との境界位置と、中心軸方向における第２ボイスコイル５１の一方の端部（第１フレーム１０側の端部）の位置が一致し、第２ボイスコイル５１のもう一方の端部は、第２プレート３１の外周面から第２フレーム１１までの間の領域からはみ出している。
【００１９】
（電気的構成）
次に、スピーカユニット１の電気的構成について説明する。図２は、スピーカユニット１の電気的構成を示したブロック図である。同図に示したように、スピーカユニット１は、端子８０Ａ，８０Ｂ、第１ダイオード９０、第２ダイオード９１とを有している。
端子８０Ａ，８０Ｂは、アンプ１００で増幅されたオーディオ信号が入力される端子である。端子８０Ａには、第１ダイオード９０のアノードと第２ダイオード９１のカソードが接続されている。また、端子８０Ｂには、第１ボイスコイル５０の一端と、第２ボイスコイル５１の一端が接続されている。第１ダイオード９０のカソードには、第１ボイスコイル５０において端子８０Ｂに接続されていない側の一端が接続され、第２ダイオード９１のアノードには、第２ボイスコイル５１において端子８０Ｂに接続されていない側の一端が接続されている。
【００２０】
（スピーカユニット１の動作）
次に、スピーカユニット１の動作について説明する。端子８０Ａ，８０Ｂがアンプに接続され、図３に示したように電流値と方向が変化するオーディオ信号がアンプから出力されると、まず、電流値がプラスである場合には、電流は端子８０Ａから第１ダイオード９０を通り、第１ボイスコイル５０を流れる。ここで、端子８０Ａには、第２ダイオード９１を介して第２ボイスコイル５１が接続されているが、端子８０Ａには第２ダイオード９１のカソードが接続されているため、第２ボイスコイル５１に電流が流れることがない。
【００２１】
さて、電流が第１ボイスコイル５０を流れる場合、第１ボイスコイル５０においては、第１フレーム１０側から見ると時計回りに流れる。第１プレート３０と第２フレーム１１との間においては、磁力線は第２フレーム１１側から第１プレート３０側へ向いているため、図１中の矢印Ａ方向へローレンツ力が生じる。第１ボイスコイル５０においてボイスコイルボビン４０が静止している状態から矢印Ａ方向へのローレンツ力が生じると、ボイスコイルボビン４０が矢印Ａ方向へ移動し、ボイスコイルボビン４０に固着されているコーン紙６０も矢印Ａ方向へ移動する。なお、ボイスコイルボビン４０が矢印Ｂ方向へ移動している状態において矢印Ａ方向へのローレンツ力が働くと、ボイスコイルボビン４０は一旦停止し、その後に矢印Ａ方向へ移動する。
なお、ボイスコイルボビン４０が矢印Ａ方向へ移動すると、第１ボイスコイル５０の巻線のうち、電流が流れていない時に第１プレート３０と第２フレーム１１との間の隙間外にあった部分は、第１プレート３０と第２フレーム１１との間の隙間に移動するため、ボイスコイルボビン４０が矢印Ａ方向へ移動しても、第１プレート３０と第２フレーム１１との間においては、常に電流が流れる導線があることとなる。
【００２２】
次に、オーディオ信号の電流値がマイナスである場合には、電流は端子８０Ｂから第２ボイスコイル５１を通り、第２ダイオード９１を流れる。一方、端子８０Ｂには、第１ボイスコイル５０が接続されているが、第１ボイスコイル５０の端子８０Ａ側には、第１ダイオード９０のカソードが接続されているため、第１ボイスコイル５０に電流が流れることがない。
【００２３】
さて、電流が第２ボイスコイル５１を流れる場合、第２ボイスコイル５１においては、第１フレーム１０側から見ると電流が時計回りに流れる。第２プレート３１と第２フレーム１１との間においては、磁力線は第２プレート３１側から第２フレーム１１側へ向いているため、図１中の矢印Ｂ方向へローレンツ力が生じる。第２ボイスコイル５１においてボイスコイルボビン４０が静止している状態から矢印Ｂ方向へのローレンツ力が生じると、ボイスコイルボビン４０が矢印Ｂ方向へ移動し、ボイスコイルボビン４０に固着されているコーン紙６０も矢印Ｂ方向へ移動する。なお、ボイスコイルボビン４０が矢印Ａ方向へ移動している状態において矢印Ｂ方向へのローレンツ力が働くと、ボイスコイルボビン４０は一旦停止し、その後に矢印Ｂ方向へ移動する。
なお、ボイスコイルボビン４０が矢印Ｂ方向へ移動すると、第２ボイスコイル５１の巻線のうち、電流が流れていない時に第２プレート３１と第２フレーム１１との間の隙間外にあった部分は、第２プレート３１と第２フレーム１１との間の隙間に移動するため、ボイスコイルボビン４０が矢印Ｂ方向へ移動しても、第２プレート３１と第２フレーム１１との間においては、常に電流が流れる導線があることとなる。
【００２４】
本実施形態においては、発生するローレンツ力の大きさは、電流値の絶対値に対応したものとなるため、電流値が大であるとローレンツ力も大となってコーン紙６０の移動量も大となり、電流値が小となるとローレンツ力も小となってコーン紙６０の移動量も小となる。そして、オーディオ信号の電流値の変化に対応してコーン紙６０が振動すると、コーン紙６０周辺の空気が振動してオーディオ信号に対応した音が発生する。
【００２５】
また、本実施形態においては、オーディオ信号の流れる方向に応じて、第１ボイスコイル５０と第２ボイスコイル５１のうち、いずれか一方のボイスコイルにのみオーディオ信号が供給されるため、両方のボイスコイルに電流を流す構成と比較して、ボイスコイルにおいて磁場外にある部分に流れる電流を少なくすることができ、損失を少なくすることができる。
また、本実施形態では、まず、第１ボイスコイル５０は、ボイスコイルボビン４０を矢印Ａ方向へ移動させる時にのみ使用されるため、電流が流れていない状態では、第１プレート３０と磁石２０との境界位置より第２プレート３１側へ第１ボイスコイル５０の導線を位置させておく必要がなく、巻き付ける導線の量を少なくすることができる。
また、第２ボイスコイル５１についても、ボイスコイルボビン４０を矢印Ｂ方向へ移動させる時にのみ使用されるため、電流が流れていない状態では、第２プレート３１と磁石２０との境界位置より第１プレート３０側へ第２ボイスコイル５１の導線を位置させておく必要がなく、巻き付ける導線の量を少なくすることができる。
【００２６】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２７】
本発明においては、第１プレート３０と第２フレーム１１との間の磁力線の向きを第１プレート３０から第２フレーム１１へ向かう方向とし、第２プレート３１と第２フレーム１１との間の磁力線の向きを第２フレーム１１から第２プレート３１へ向かう方向としてもよい。この場合、第１ボイスコイル５０に流れる電流の向きを第１フレーム１０側から見て反時計回りとし、第２ボイスコイル５１に流れる電流の向きも第１フレーム１０側から見て反時計回りとすると、上述した実施形態と同様に、ボイスコイルボビン４０が移動する。
【００２８】
本発明においては、図４に示したように第１ボイスコイル５０と第２ボイスコイル５１とを配置してもよい。
図４の構成においては、第１ボイスコイル５０は、中心軸方向における第１プレート３０と軸部１０Ａとの境界位置と、中心軸方向における第１ボイスコイル５０の一方の端部（第１フレーム１０側の端部）の位置が一致し、第１ボイスコイル５０のもう一方の端部は、第１プレート３０の外周面から第２フレーム１１までの間の領域からはみ出しており、第２ボイスコイル５１は、中心軸方向における第２プレート３１の端面（磁石２０と反対側の面）の位置と、中心軸方向における第２ボイスコイル５１の一方の端部（コーン紙６０側の端部）の位置が一致し、第２ボイスコイル５１のもう一方の端部は、第２プレート３１の外周面から第２フレーム１１までの間の領域からはみ出している。
また、この構成においては、第１プレート３０と第２フレーム１１との間の磁力線の向きを第２フレーム１１から第１プレート３０へ向かう方向とし、第２プレート３１と第２フレーム１１との間の磁力線の向きを第２プレート３１から第２フレーム１１へ向かう方向とする。
そして、電流が第１ボイスコイル５０において、第１フレーム１０側から見て反時計回りに流れると、ボイスコイルボビン４０が矢印Ｂ方向へ移動し、電流が第２ボイスコイル５１において、第１フレーム１０側から見て反時計回りに流れると、ボイスコイルボビン４０が矢印Ａ方向へ移動する。
【００２９】
なお、この構成においては、第１プレート３０と第２フレーム１１との間の磁力線の向きを第１プレート３０から第２フレーム１１へ向かう方向とし、第２プレート３１と第２フレーム１１との間の磁力線の向きを第２フレーム１１から第２プレート３１へ向かう方向としてもよい。この場合、第１ボイスコイル５０に流れる電流の向きを第１フレーム１０側から見て時計回りとし、第２ボイスコイル５１に流れる電流の向きも第１フレーム１０側から見て時計回りとすると、第１ボイスコイル５０に電流が流れるとボイスコイルボビン４０は矢印Ｂ方向へ移動し、第２ボイスコイル５１に電流が流れるとボイスコイルボビン４０は矢印Ａ方向へ移動する。
【００３０】
上述した実施形態においては、各ダイオードの位置は、図５に示した位置にしてもよい。図５では、端子８０Ｂに、第１ダイオード９０のカソードと第２ダイオード９１のアノードが接続され、端子８０Ａには、第１ボイスコイル５０の一端と、第２ボイスコイル５１の一端が接続されている。そして、第１ダイオード９０のアノードには、第１ボイスコイル５０において端子８０Ａに接続されていない側の一端が接続され、第２ダイオード９１のカソードには、第２ボイスコイル５１において端子８０Ａに接続されていない側の一端が接続されている。図５に示した構成でも、第１ボイスコイル５０と第２ボイスコイル５１のいずれ一方にのみ電流を流すようにすることができる。
【００３１】
また、本発明においては、オーディオ信号が正の時に第２ボイスコイル５１にオーディオ信号を供給し、オーディオ信号が負の時に第１ボイスコイル５０にオーディオ信号を供給するようにしてもよい。
【００３２】
上述した実施形態においては、磁石２０、第１プレート３０および第２プレート３１がボイスコイルボビン４０内に位置する構成となっているが、図６に示したように、これらの部材をボイスコイルボビン４０外に配置してもよい。
具体的には、図６に示した構成において、磁石２０Ａは、永久磁石であって円環形状に形成されている。なお、磁石２０の内径は、第１ボイスコイル５０および第２ボイスコイル５１の外径より大となっている。第１プレート３０Ａおよび第２プレート３１Ａは、常磁性体であり、円環形状に形成されている。本変形例においては、第１プレート３０Ａと第２プレート３１Ａの形状は同じであり、第１プレート３０Ａおよび第２プレート３１Ａの内径は、第１ボイスコイル５０および第２ボイスコイル５１の外径より大となっている。ポールピース１１０は、磁性を有する素材で円柱形状に形成されており、軸部１０Ａに固着されている。
【００３３】
この構成において、磁力線が第１プレート３０Ａ側からポールピース１１０側へ向けられ、また、磁力線がポールピース１１０側から第２プレート３１Ａ側へ向けられており、電流が第１ボイスコイル５０を流れる場合、第１フレーム１０側から見て電流が時計回りに流れると、ボイスコイルボビン４０が矢印Ａ方向へ移動する。また、電流が第２ボイスコイル５１を流れる場合、第１フレーム１０側から見て電流が時計回りに流れると、ボイスコイルボビン４０が矢印Ｂ方向へ移動する。
なお、磁石２０Ａ、第１プレート３０Ａおよび第２プレート３１Ａをボイスコイルボビン４０の外側に配置する構成においても、図７に示したように中心軸方向において、第１ボイスコイル５０の第１フレーム１０側の端部位置と第１プレート３０Ａの第１フレーム１０側の端部位置とが一致し、、第１ボイスコイル５０のもう一方の端部は、第１プレート３０Ａの内周面からポールピース１１０までの間の領域からはみ出し、第２ボイスコイル５１の第３フレーム１２側の端部位置と第２プレート３１Ａの第３フレーム１２側の端部位置とが一致し、第２ボイスコイル５１のもう一方の端部は、第２プレート３１Ａの内周面からポールピース１１０までの間の領域からはみ出ようにしてもよい。
【００３４】
上述した実施形態においては、アンプ１００はスピーカユニット１とは別体であったが、スピーカユニット１がアンプ１００を有する構成であってもよい。また、上述した実施形態においてはスピーカユニット１は端子８０Ａ，８０Ｂと、第１ダイオード９０と第２ダイオード９１とを備えているが、端子８０Ａ，８０Ｂと、第１ダイオード９０と第２ダイオード９１とをスピーカユニット１が取り付けられたエンクロージャに設けるようにし、スピーカユニット１が端子８０Ａ，８０Ｂと、第１ダイオード９０と第２ダイオード９１とを備えない構成としてもよい。
【図面の簡単な説明】
【００３５】
【図１】本発明の一実施形態に係るスピーカユニット１の断面図である。
【図２】スピーカユニット１の電気的構成を示した図である。
【図３】スピーカユニット１に流れる電流の波形を例示した図である。
【図４】本発明の変形例に係るスピーカユニット１の断面図である。
【図５】本発明の変形例に係るスピーカユニット１の電気的構成を示した図である。
【図６】本発明の変形例に係るスピーカユニット１の断面図である。
【図７】本発明の変形例に係るスピーカユニット１の断面図である。
【符号の説明】
【００３６】
１・・・スピーカユニット、２・・・フレーム部、３・・・コア部、４・・・ボイスコイルユニット部、５・・・振動部、１０・・・第１フレーム、１１・・・第２フレーム、１２・・・第３フレーム、２０・・・磁石、３０・・・第１プレート、３１・・・第２プレート、４０・・・ボイスコイルボビン、４１・・・センタキャップ、５０・・・第１ボイスコイル、５１・・・第２ボイスコイル、６０・・・コーン紙、７０・・・エッジ、８０Ａ，８０Ｂ・・・端子、９０・・・第１ダイオード、９１・・・第２ダイオード、１００・・・アンプ
【図１】
0005034845.tif 000002
【図２】
0005034845.tif 000003
【図３】
0005034845.tif 000004
【図４】
0005034845.tif 000005
【図５】
0005034845.tif 000006
【図６】
0005034845.tif 000007
【図７】
0005034845.tif 000008